(57)【要約】【課題】頻繁に行われる書類の電子化に対応するために、携帯性、コンパクト性、利便性に着目したスキャナ装置を提供する。【解決手段】本発明のスキャナ装置は、原稿が載置されるコンタクトガラス部と、その原稿のイメージを読み取るラインスキャンヘッド部と、ラインスキャンヘッド駆動部と、からなる２つのスキャナユニットをヒンジ部で折畳み可能なように連結している。当該スキャナ装置を全開にすると大サイズの原稿をスキャンでき、折畳むと半分のサイズの原稿を片面または両面スキャンができる。【選択図】      図１
2008066961.tif 000002
【特許請求の範囲】
【請求項１】
所定の媒体の表面を走査して、該表面の画像を取り込むスキャナ装置において、
前記媒体が載置されるコンタクトガラス部と、
前記コンタクトガラス部に載置された前記媒体の表面を第１の方向に走査するラインスキャンヘッド部と、
前記第１の方向の垂直方向である第２の方向に前記ラインスキャンヘッド部を駆動させるラインスキャンヘッド駆動部と、
からなるスキャナユニットと、
２組の前記スキャナユニットを連結させ、該連結した箇所を軸として該２組のスキャナユニットの前記コンタクトガラス部同士が相互に向き合うように折り畳み可能なヒンジ部と、
前記ラインスキャンヘッド駆動部を制御するラインスキャンヘッド駆動制御部と、
前記ラインスキャンヘッド駆動制御部に基づいて前記ラインスキャンヘッドより取得された走査信号から画像を生成する画像生成部と、
を備えることを特徴とするスキャナ装置。
【請求項２】
前記スキャナ装置は、さらに、
前記２組のスキャナユニットの折り畳みの状態を検知する折り畳み状態検知部と、
前記折り畳み状態検出部により検知結果に基づいて、走査対象のサイズを決定し、前記ラインスキャンヘッド駆動制御部に対して該決定に応じた指示を行う制御部と、
を備えることを特徴とする請求項１に記載のスキャナ装置。
【請求項３】
前記制御部は、前記折り畳み状態検知部による検知結果に基づいて、前記２組のスキャナユニットの前記コンタクトガラス部が前記ヒンジ部を軸に略１８０度に開いていると判断した場合、前記画像生成部は該２組のスキャナユニットの双方により得られた走査信号に基づいて前記画像を生成する
ことを特徴とする請求項２に記載のスキャナ装置。
【請求項４】
前記制御部は、前記折り畳み状態検知部による検知結果に基づいて、前記２組のスキャナユニットが折り畳まれていると判断した場合、前記画像生成部は該２組のスキャナユニットうち少なくとも一方により得られた走査信号に基づいて前記画像を生成する
ことを特徴とする請求項２に記載のスキャナ装置。
【請求項５】
前記スキャナ装置は、さらに、
前記コンタクトガラス部への押圧を検知する押圧検知部
を備え、
前記制御部は、前記押圧検知部による検知結果に基づいて、前記ラインスキャンヘッド駆動制御部にスキャン開始指示を行う
ことを特徴とする請求項１〜４のうちいずれか１項に記載のスキャナ装置。
【請求項６】
前記スキャナ装置は、さらに、
当該スキャナ装置を折り畳んだ状態にして前記２組のスキャナユニットの側面のうち前記ヒンジ部側の側面に着脱可能であって、相互に向き合った前記２組のスキャナユニットの前記コンタクトガラス部間に前記媒体を搬送する搬送機構
を備えることを特徴とする請求項１〜５のうちいずれか１項に記載のスキャナ装置。
【請求項７】
前記スキャナ装置は、さらに、
前記２組のスキャナユニットのうちのいずれかのスキャナユニットの前記ラインスキャンヘッド部を、前記コンタクトガラス面に対向している方向から所定角度回転可能とするラインスキャンヘッド回動部
を備えることを特徴とする請求項１〜６のうちいずれか１項に記載のスキャナ装置。
【請求項８】
請求項７に記載のスキャナ装置のハンディスキャナとしての使用方法であって、
前記スキャナ装置を折畳み、
前記ラインスキャンヘッド回動部により前記ラインスキャンヘッド部を略９０度回転させ、
該回転させた方向にある前記媒体の表面の画像を読み取る
ことを特徴とするスキャナ装置のハンディスキャナとしての使用方法。
【発明の詳細な説明】
【技術分野】
【０００１】
本発明は、スキャナ装置に関する。
【背景技術】
【０００２】
「電子帳簿保存法」（正式名称：「電子計算機を使用して作成する国税関係帳簿書類の保存方法等の特例に関する法律（平成１０年法律第２５号）」）を根拠とする、会計帳簿の電子化の認容に加えて、「電子文書法」（正式名称：「民間事業者等が行う書面の保存等における情報通信の技術の利用に関する法律（平成１６年法律第１４９号）」及び「民間事業者等が行う書面の保存等における情報通信の技術の利用に関する法律施行に伴う関係法律の整備等に関する法律（平成１６年法律第１５０号）」）の施行に伴い、これまで紙での保存が法的に義務付けられていた文書の保存も、税務関係書類に限らず、その他の書類についても電子データでの保存の可能性が拡がっている。
【０００３】
今後、さらに、日本版企業改革法（日本版ＳＯＸ法）の全容が明らかになるにつれて、更に広範な文書を電子的手段により蓄積することが求められると想定される。
ところで、文書を電子化するツールとしてスキャナがある。スキャナ機構は、情報技術の発展に伴い、コピー機、ファクシミリ、プリンタ、マルチファンクションプリンタ等のコンピュータ周辺機器に多く搭載されている。
【０００４】
このようなスキャナ装置に関して、ＣＭＯＳセンサを内蔵した密着型イメージセンサ、あるいはＣＣＤセンサを用いたイメージセンサが知られている。またスキャナシステムとしては、紙原稿を固定して、イメージセンサユニットを動かすフラットベット型スキャナシステムや、反対にイメージセンサユニットを固定して紙原稿を動かすシートフィード型スキャナシステムが既に商品化されている。
【０００５】
また、特許文献１には、画像読み取りを高速化する為、同じイメージセンサユニットを原稿用紙を挟んだ状態で対向配置し、一回の原稿送り時間にて両面読み取りする小型化した画像読み取り装置が開示されている。
【０００６】
特許文献２には、読取精度を向上させつつ、被写界深度の浅いレンズを有効に使用できる生産性のよい、または、厚さの厚い原稿を問題なく搬送できる、高品質の画像読取装置が開示されている。
【０００７】
特許文献３には、ハンディスキャナ本体の底面で、かつ、ハンディスキャナ本体の自走方向の先端部より後方に原稿読取り部を設けて、原稿上の読取りを開始したい場所に、ハンディスキャナ本体の先端部を合わせて命令入力部から原稿読取り開始命令を行い、制御部によって原稿読取り部が原稿読取り開始位置に移動するまでステッピングモーターを高速で駆動してハンディスキャナ本体を自走させ、移動後にステッピングモーターの駆動を原稿読取り時の速度に切り替えて原稿読取りを開始させる自走式ハンディスキャナ装置が開示されている。
【０００８】
特許文献４には、ハンディスキャナ装置本体の移動方向の先端を原稿に合わせた後、読取り部で読取りを開始し、前記先端から読取り部までの距離に相当する距離移動した後、メモリへの書き込みを開始し、本体後端を原稿の所望位置に合わせて終了させた後、メモリに書き込んだデータについて、前記読取り部から後端までの距離に相当するデータを無効にするハンディスキャナ装置が開示されている。
【０００９】
特許文献５には、原稿に密着するファイバーアレープレートからのノイズの侵入を阻止して読み取り画像の劣化を防止できる密着型イメージセンサが開示されている。
【特許文献１】特開２００５−１９１７９５号公報
【特許文献２】特開平１０−１９０９３８号公報
【特許文献３】特開平１０−１７３８７８号公報
【特許文献４】特開２００４−２６６５９１号公報
【特許文献５】特開２００１−１４８７６３号公報
【発明の開示】
【発明が解決しようとする課題】
【００１０】
上述の通り、従来、企業が紙媒体として保管していた様々な書類、帳票などを電子化して保存することが求められている。そのような要請の結果、電子化の対象となる文書の拡大に伴う「量の増大」と共に、関連業務が拡大することによる「（保存）頻度の増大」をもたらすことが考えられる。
【００１１】
対象文書量とその保存頻度が同時に増大する状態で、客観的な証拠能力を担保できるよう個々の電子文書を管理するためには、短期の業務サイクルの中で文書の電子化業務を規定する必要がある。
【００１２】
上記の課題に鑑み、本発明では、「量の増大」のみに着目した大量一括処理向きとしてではなく、「（業務）頻度の増大」に着目した逐次処理向きのスキャナ装置を提供する。さらに、その構造的特徴を活かし、１台で複数の利用形態を提供可能なスキャナ装置を提供する。すなわち、頻繁に行われる書類の電子化に対応するために、携帯性、コンパクト性、利便性に着目したスキャナ装置を提供する。
【課題を解決するための手段】
【００１３】
本発明にかかる、所定の媒体の表面を走査して、該表面の画像を取り込むスキャナ装置は、前記媒体が載置されるコンタクトガラス部と、前記コンタクトガラス部に載置された前記媒体の表面を第１の方向に走査するラインスキャンヘッド部と、前記第１の方向の垂直方向である第２の方向に前記ラインスキャンヘッド部を駆動させるラインスキャンヘッド駆動部と、からなるスキャナユニットと、２組の前記スキャナユニットを連結させ、該連結した箇所を軸として該２組のスキャナユニットの前記コンタクトガラス部同士が相互に向き合うように折り畳み可能なヒンジ部と、前記ラインスキャンヘッド駆動部を制御するラインスキャンヘッド駆動制御部と、前記ラインスキャンヘッド駆動制御部に基づいて前記ラインスキャンヘッドより取得された走査信号から画像を生成する画像生成部と、を備えることを特徴とする。
【００１４】
このように構成することにより、スキャナ装置を折畳んだり、全開にしたり、半開にしたりすることができる。
前記スキャナ装置は、さらに、前記２組のスキャナユニットの折り畳みの状態を検知する折り畳み状態検知部と、前記折り畳み状態検出部により検知結果に基づいて、走査対象のサイズを決定し、前記ラインスキャンヘッド駆動制御部に対して該決定に応じた指示を行う制御部と、を備えることを特徴とする。
【００１５】
このように構成することにより、スキャナ装置の状態（全開、半開、折畳み）を検知して、そのスキャナ装置の状態に応じてスキャンの形態を変更することができる。
前記スキャナ装置において、前記制御部は、前記折り畳み状態検知部による検知結果に基づいて、前記２組のスキャナユニットの前記コンタクトガラス部が前記ヒンジ部を軸に略１８０度に開いていると判断した場合、前記画像生成部は該２組のスキャナユニットの双方により得られた走査信号に基づいて前記画像を生成することを特徴とする。
【００１６】
このように構成することにより、開いた状態で大サイズの原稿用紙を全面走査できる。
前記スキャナ装置において、前記制御部は、前記折り畳み状態検知部による検知結果に基づいて、前記２組のスキャナユニットが折り畳まれていると判断した場合、前記画像生成部は該２組のスキャナユニットうち少なくとも一方により得られた走査信号に基づいて前記画像を生成することを特徴とする。
【００１７】
このように構成することにより、折畳んだ状態で全開時の半分のサイズの原稿用紙を片面・両面走査できる。
前記スキャナ装置は、さらに、前記コンタクトガラス部への押圧を検知する押圧検知部を備え、前記制御部は、前記押圧検知部による検知結果に基づいて、前記ラインスキャンヘッド駆動制御部にスキャン開始指示を行うことを特徴とする。
【００１８】
このように構成することにより、例えば、コンタクトガラス面を押圧するだけで、スキャンを開始することができる。
前記スキャナ装置は、さらに、当該スキャナ装置を折り畳んだ状態にして前記２組のスキャナユニットの側面のうち前記ヒンジ部側の側面に着脱可能であって、相互に向き合った前記２組のスキャナユニットの前記コンタクトガラス部間に前記媒体を搬送する搬送機構を備えることを特徴とする。
【００１９】
このように構成することにより、ＡＤＦ（Ａｕｔｏ  Ｄｏｃｕｍｅｎｔ  Ｆｅｅｄｅｒ）スキャナとして用いることができる。
前記スキャナ装置は、さらに、前記２組のスキャナユニットのうちのいずれかのスキャナユニットの前記ラインスキャンヘッド部を、前記コンタクトガラス面に対向している方向から所定角度回転可能とするラインスキャンヘッド回動部を備えることを特徴とする。
【００２０】
このように構成することにより、ラインスキャンヘッドの向きを調整することができる。
本発明にかかるスキャナ装置をハンディスキャナとしての使用方法は、前記スキャナ装置を折畳み、前記ラインスキャンヘッド回動部により前記ラインスキャンヘッド部を略９０度回転させ、該回転させた方向にある前記媒体の表面の画像を読み取ることを特徴とする。
【００２１】
このように構成することにより、ハンディスキャナとして使用することができる。
【発明の効果】
【００２２】
本発明を用いることにより、「（業務）頻度の増大」に着目した逐次処理向きのスキャナ装置として、各自の机上で作業を行うことを想定し、使用時は勿論、使用しない時においてもコンパクト性を確保することができる。また、様々な原稿、様々な運用形態に対して、１台で即応できる。
【発明を実施するための最良の形態】
【００２３】
本発明にかかるスキャナ装置は、折畳み・開閉が可能な構造であり、開いた状態で大サイズの原稿用紙を全面走査でき、折畳んだ状態でその半分のサイズの原稿用紙を片面・両面走査できる。
【００２４】
さらに、折畳んだ状態の当該スキャナ装置に補助的な原稿給紙機構を連結し、読み取りヘッドを固定した状態で、その原稿給紙機構より原稿を給紙して、走査してその原稿用紙を読み取ることもできる。
【００２５】
さらに、当該スキャナ装置は、原稿用紙上を手動で又は自走式で移動走査させることができる。
図１は、本発明におけるスキャナ１の外観斜視図（全開時）である。図２は、本発明におけるスキャナ１の外観側面図（全開時）である。図３は、本発明におけるスキャナ１の外観側面図（折畳み中）である。
【００２６】
スキャナ１は、２つの筐体（ユニットＡ（２００ａ），ユニットＢ（２００ｂ））がヒンジ部２０２により連結されている。各筐体（ユニットＡ，ユニットＢ）の上面にはコンタクトガラス面２０１が設けられている。
【００２７】
以下では、ユニットＡ（２００ａ）に関する構造及び操作等については符号に添え字“ａ”を付して表し、ユニットＢ（２００ｂ）に関する構造及び操作等については符号に添え字“ｂ”を付して表すことにする。
【００２８】
図１及び図２では、ヒンジ部２０２を軸にユニットＡ，Ｂの双方のコンタクトガラス面２０１同士のなす角度が１８０度となるように開くと、ユニットＡ，Ｂのヒンジ部２０２側の側面２１５（２１５ａ，２１５ｂ）同士が相互に向かい合うようになる。この状態をスキャナ１の全開状態という。このとき、スキャナ１の全体像は、フラットベットスキャナとなる。
【００２９】
また、図３に示すようにヒンジ部２０２を軸にして、スキャナユニットＡ，Ｂのコンタクトガラス面２０１同士が相互に向き合うように折畳むことができるようになっている。この状態をスキャナ１の折畳み状態という。
【００３０】
スキャナ１の全開時のサイズを「ｍ×ｎ」とすると、折畳み時には「（ｎ／２）×ｍ」のサイズとなる。例えば、スキャナ１の全開時のサイズがＡ４であるとすれば、折畳み時はＡ５サイズとなる。
【００３１】
図４は、本発明におけるスキャナ１を構成要素とするネットワーク構成の一例を示す。同図のネットワークは、ＬＡＮ（Ｅｔｈｅｒｎｅｔ（登録商標））４を介して、端末装置２と、スキャナ１と、印刷装置（プリンタ）３とから構築されている。端末装置２は、パーソナルコンピュータ（以下、ＰＣという）である。端末装置２には、スキャナ１の設定及び操作を行うためのソフトウェアが導入されている。
【００３２】
印刷装置３は、例えば、プリンタ、ＭＦＰ（マルチファンクションプリンタ）であり、ＰＣ２からの印刷データを出力したり、スキャナ１で読み取った画像データを印刷したりすることができる。印刷装置３は、さらに認証管理機能を有していてもよい。
【００３３】
なお、本発明の実施形態の一例では、ネットワークとして、ＬＡＮを用いたが、限定されず、例えば、インターネット、ＷＡＮ、専用線、有線、無線等の通信網であってもよい。
【００３４】
図５は、本発明におけるスキャナ１の内部構成の概要を示す。同図において、スキャナ１は、折畳み状態である。スキャナ１の主要部は、ユニットＡ（２００ａ）とユニットＢ（２００ｂ）とが対称な配置となるような構成となっている。
【００３５】
各ユニットＡ，Ｂは、主に、コンタクトガラス面２０１（２０１ａ，２０１ｂ）、感圧スイッチ（以下、スイッチを「ＳＷ」と称する）２０３（２０３ａ，２０３ｂ）、画像読取機構部２１０（２１０ａ，２１０ｂ）、ラインスキャンヘッド部２１１（２１１ａ−１，２１１ａ−２，２１１ｂ−１，２１１ｂ−２）から構成される。また、ユニットＡ，Ｂは、全開検出ＳＷ２０４、折畳検出ＳＷ２０５を備える。
【００３６】
そして、ユニットＡ，Ｂのいずれかには、画像変換制御部２２１、ＲＡＭ（ランダムアクセスメモリ）２５２、Ｉ／Ｆ（インターフェース）部２２３、ＣＰＵ（中央処理演算装置）２５０、画像読取機構制御部２２２、電源部２２４が設けられている。画像変換制御部２２１、ＲＡＭ２５２、Ｉ／Ｆ部２２３、ＣＰＵ２５０、画像読取機構制御部２２２、電源部２２４は、ユニットＡ，Ｂで共用されるものとする。
【００３７】
ユニットＡ，Ｂは、ヒンジ部２０２を介して接続されている。ヒンジ部２０２近傍には、全開検出ＳＷ２０４が設けられている。全開検出ＳＷ２０４は、スキャナ１が全開状態であるか否かを検出するものである。例えば、ヒンジ部２０２を軸にユニットＡ，Ｂの双方のコンタクトガラス面２０１同士のなす角度が１８０度となるように開くと、ユニットＡ，Ｂ側面２１５同士が向かい合うようになり、一方の側面２１５に設けられたスイッチが他方の側面２１５に押されて、全開検出ＳＷ２０４がＯＮになるようにしてもよい。また、ヒンジ部の開きの程度に応じて、全開検出ＳＷ２０４がＯＮになるようにしてもよい。
【００３８】
折畳検出ＳＷ２０５は、スキャナ１が折畳まれた状態を検出するものである。折畳検出ＳＷ２０５は、ユニットＡ，Ｂのヒンジ部２０２が設けられている端部の反対側の端部に端部に設けられている。折畳検出ＳＷ２０５は、ヒンジ部２０２を軸にスキャナ１を折りたたんで、ユニットＡ，Ｂのコンタクトガラス面が相互に向かい合うような状態にすると、ＯＮになる。
【００３９】
スキャナ１の形状の状態が、全開状態であるか、折畳み状態であるか、または折畳み途中（半開）の状態であるかは、図９で後述するように、全開検出ＳＷ２０４と折畳検出ＳＷ２０５のＯＮ／ＯＦＦの組合わせ判定によって検出可能となっている。
【００４０】
画像読取機構部２１０（２１０ａ，２１０ｂ）の各々には、ラインスキャンヘッドユニット２１１が配置されている。ラインスキャンヘッドユニット２１１は、２ｌｌａ−１と２１１ａ−２とを対とするラインスキャンヘッド部と、２１１ｂ−１と２１１ｂ−２とを対とするラインスキャンヘッド部からなる。
【００４１】
画像読取機構制御部２２２は、画像読取機構部２１０ａの２連のラインスキャンヘッドユニット２１１の動作を制御するための装置である。以下の実施形態で説明するように、スキャナ１の使用形態に応じて、ラインスキャンヘッドユニット２１１ａ，２１１ｂのいずれか又は双方を独立してまたは連動して駆動させたり、所定位置で固定させたりする場合がある。そこで、このようなラインスキャンヘッドユニット２１１ａ，２１１ｂの動作を制御するのが画像読取機構制御部２２２である。
【００４２】
画像変換制御部２２１は、ラインスキャンヘッドユニット２１１ａ，２１１ｂの走査により得られた走査信号を画像に変換するためのものである。
ＲＡＭ２５２は、読み取った画像データを格納したり、画像処理を行うための作業領域として使用されたり、その他のデータまたはプログラムを格納するための記憶装置である。Ｉ／Ｆ部２２３は、ネットワークに接続したり、ＵＳＢ（ユニバーサルシリアルバス）等でＰＣに接続したりするためのインターフェースである。ＣＰＵ２５０は、スキャナ１の各構成要素を制御するためのものである。電源部２２４は、スキャナ１に電力を供給するためものである。
【００４３】
感圧スイッチ２０３（２０３ａ，２０３ｂ）は、コンタクトガラス面２０１（２０１ａ，２０１ｂ）に圧力がかけられたことを検知するためのものである。以下の実施形態にて説明するように、感圧スイッチ２０３による圧力の検知をトリガーとして、スキャン実行が行われる。例えば、指や手のひらでコンタクトガラス面２０１を押下して圧力をかけると、感圧スイッチ２０３はその圧力を検知して、その検知信号をＣＰＵ２５０へ送信する。ＣＰＵ２５０は、その検知信号を受信すると、画像の読み取り動作を開始し、各構成要素を制御する。
【００４４】
図６は、本発明におけるスキャナ１のラインスキャンヘッドユニット２１１を示す。１対のラインスキャンヘッド部２ｌｌａ−１，２１１ａ−２間は、「ｎ／４」の間隔になるようにラインスキャンヘッドスペーサ２６０ａにより固定支持されている。もう１対のラインスキャンヘッド部２ｌｌｂ−１，２１１ｂ−２間も同様に、「ｎ／４」の間隔になるようにラインスキャンヘッドスペーサ２６０ｂにより固定支持されている。
【００４５】
このように、ラインスキャンヘッド部を桁状に配置して２連ユニット化することで、各ラインスキャンヘッド部２ｌｌａ−１，２１１ａ−２，２ｌｌｂ−１，２１１ｂ−２の可動距離を狭くすることができ、その結果、高速な画像取得が可能となる。なお、ラインスキャンヘッド部２ｌｌａ−１，２１１ａ−２，２ｌｌｂ−１，２１１ｂ−２に付与された矢印は、ヘッド部分の向きを示している。
【００４６】
図７は、本発明における一方のユニットを用いて画像を取得する一例を示す。同図では、一例として、ユニットＡを使って「（ｎ／２）×ｍ」サイズの原稿用紙から画像を行う。
【００４７】
まず、「（ｎ／２）×ｍ」サイズの原稿用紙をユニットＡのコンタクトガラス面２０１ａに載置する。その原稿用紙の上半分（横置時）をラインスキャンヘッド部２１１ａ−１、その原稿用紙の下半分（横置時）をラインスキャンヘッド部２ｌｌａ−２で併行してその原稿用紙の画像を取得する。ラインスキャンヘッド部２１１ａ−１により取得された画像を“３０１−１”で表し、ラインスキャンヘッド部２１１ａ−２により取得された画像を“３０１−２”で表す。
【００４８】
次に、画像変換制御部２２１は、各ラインスキャンヘッド部２１１ａ−１，２１１ａ−２により取得された画像３０１−１，３０１−２を合成（合体）して１つの画像３０１を生成する。
【００４９】
このように構成することにより、各ラインスキャンヘッド部２ｌｌａ−１，２１１ａ−２，２ｌｌｂ−１，２１１ｂ−２に関して、走査のための稼動距離を半分にすることができる。なお、同図では、一方のユニットを用いて画像を取得しているので、運用例としてはスキャナ１を全開させないで、折畳んだ状態で運用する場合が想定される。
【００５０】
次に、全開時のスキャナ１を用いて画像の取り込む場合について説明する。
図８は、本発明における２つのユニットを用いて画像を取得する一例を示す。同図では、一例として、ユニットＡとユニットＢとを使って、「ｍ×ｎ」サイズの原稿用紙から画像を取得する。
【００５１】
まず、「ｎ×ｍ」サイズの原稿用紙をユニットＡ，Ｂのコンタクトガラス面２０１ａ，２０１ｂに載置する。その原稿用紙の上半分（縦置時）をユニットＡで、その原稿用紙の下半分（縦置時）をユニットＢで併行（連動）して画像を取得する。ここで、ユニットＡのラインスキャンヘッド部２１１ａ−１及び２１１ａ−２で取得した画像を“３１０ａ”で表し、ユニットＢのラインスキャンヘッド部２１１ｂ−１及び２１１ｂ−２で取得した画像を“３１０ｂ”で表す。
【００５２】
次に、画像変換制御部２２１は、ユニットＡとユニットＢにより取得した画像３１０ａ，３１０ｂとを合成（合体）して１つの画像３１０を生成する。なお、ユニットＡ及びユニットＢ個々の処理は、図７で説明した内容と同様である。
【００５３】
図９は、本発明における全開検出ＳＷ２０４と折畳検出ＳＷ２０５のＯＮ／ＯＦＦの組合わせ判定の内容を示す。全開検出ＳＷ２０４のＯＮ／ＯＦＦ、折畳検出ＳＷ２０５のＯＮ／ＯＦＦの組み合わせにより、（１）全開時、（２）折畳時、（３）半開時の状態を判定できる。
【００５４】
（１）全開時とは、全開検出ＳＷ２０４がＯＮ、折畳検出ＳＷ２０５がＯＦＦの状態をいう。（２）折畳時とは、全開検出ＳＷ２０４がＯＦＦ、折畳検出ＳＷ２０５がＯＮの状態をいう。（３）半開時とは、全開検出ＳＷ２０４がＯＦＦ、折畳検出ＳＷ２０５がＯＦＦの状態をいう。
【００５５】
図１０は、本発明におけるスキャナ１の形状の状態と、感圧ＳＷと、ヘッドユニットの制御との関係を示す。図９によりスキャナ１の形状の状態（（１）全開時、（２）折畳時、（３）半開時）が判定される。
【００５６】
感圧ＳＷ２０３（２０３ａ，２０３ｂ）は、スキャナ１の形状の状態に応じて有効になったり、無効になったりする。感圧ＳＷ２０３が有効の場合、コンタクトガラス面２０１に圧力が加わると、感圧ＳＷ２０３によりその圧力が検知され、その検知をトリガーにしてスキャンが開示する。感圧ＳＷ２０３が無効の場合、コンタクトガラス面２０１に圧力が加わっても何も実行されない。
【００５７】
ラインスキャンヘッドユニット２１１は、スキャナ１の形状の状態に応じて、可動とされたり、固定されたり、可動時には対となるラインスキャンヘッド部が並行（連動）移動されたり、感圧ＳＷ２０３に対して操作が行われているユニット側のラインスキャンヘッド部のみ単独動作するように制御されている。また、片面のみかまたは両面もスキャンできるかについても制御されている。なお、図中の組み合わせは、以下で説明する本発明の実施形態に対応する。
【００５８】
図１１は、本発明におけるラインスキャンヘッドユニット２１１の駆動機構を示す。図１２は、本発明における平歯車及び円筒ウォームギアよりなる動力機構３３０を示す。３３２は、画像読取機構制御部／画像変換制御部基盤を表す。
【００５９】
ラインスキャンヘッドユニット２１１（２１１ａ，２１１ｂ）は、ラインスキャンヘッドスペーサ２６０の両端にラインスキャンヘッド機構３３９が設けられている。
各ラインスキャンヘッド機構３３９は、ラインスキャンヘッド部２１１、ラインスキャンヘッド部２１１を支持するラインスキャンヘッド支持部３３８、ラインスキャンヘッド支持部の側面に設けられた終端ＳＷ３３５から構成されている。
【００６０】
ラインスキャンヘッドユニット２１１ａ（２１１ａ−１，２１１ａ−２）及び２１１ｂ（２１１ｂ−１，２１１ｂ−２）はそれぞれ、平歯車及び円筒ウォームギア（図１２）からなる動力機構３３０と共に桁組内に収容され、ユニット筐体の側面に設置されたガイドレール３３４で保持された状態で、左右方向への移動が確保される。なお、平歯車軸受け部は不図示である。
【００６１】
ラインスキャンヘッドスペーサ２６０の下面には、ＤＣモータ３３１と、そのＤＣモータ３３１の回転軸を受けるＤＣモータ回転軸受け部３３７が固着している。ＤＣモータ回転軸受け部３３７により、その回転軸３３６の先端部部分は、回転可能なように支持されている。その回転軸３３６には円筒ウォームギア３４０が装着されている。
【００６２】
円筒ウォームギア３４０と平歯車３４１は相互の回転軸が直交するように係合している。また、筐体側にはラックギア３３３が固定され、ラックギア３３３と平歯車３４１は係合している。
【００６３】
ＤＣモータ３３１の回転軸３３６が回転すると、円筒ウォームギア３４０も共に回転し、その回転動作が円筒ウォームギア３４０から平歯車３４１に伝達され、回転方向が９０度変換する。
【００６４】
そうすると、平歯車３４１は、筐体側のラックギア３３３の長手方向に対して移動を行う。そうすると、１対のラインスキャンヘッドユニット２１１は、ガイドレール３３４に沿って移動する。このように、ラインスキャンヘッド部２１１の走査に伴う駆動は、ラインスキャンヘッド部自体に仕込んだ動力機構による自走方式となっている。
【００６５】
１対のラインスキャンヘッド部の相互に向き合っている面の反対の面（すなわち、スキャナ１の筐体の内壁と向かい合っている面）には、終端ＳＷ３３５が設けられている。終端ＳＷ３３５は、ラインスキャンユニット２１１の可動範囲の終端を検知するためのものである。１対のラインスキャンヘッド部がラックギア３３３上を移動して、終端ＳＷ３３５がスキャナ１の筐体の内壁に接すると、そのことを検知した終端ＳＷ３３５は検知信号を画像読取機構制御部２２２へ送信する。その検知信号を受信した画像読取機構制御部２２２は、ＤＣモータ３３１の回転を制御して、そのラインスキャンヘッドユニット２１１の動作を停止させる。
【００６６】
それでは、以下に本発明にかかるスキャナ１の実施形態の詳細について説明する。
（第１の実施形態）
本実施形態では、折畳み式の将棋盤のように折畳みが可能であり、全開状態で折畳み時の２倍のサイズ（例えば、折畳み時がＡ５サイズであれば、全開時はＡ４サイズ）で画像取得が可能な画像電子化入力装置（スキャナ）について説明する。
【００６７】
本実施形態では、スキャナ１は、トップカバーの無い、フラットベッドスキャナとしての運用（すなわち、コンタクトガラス面に固定された原稿に対して、ラインスキャナが移動する運用形態）とする。
【００６８】
本実施形態では、図２で示すように、スキャナ１を全開状態で運用する。スキャナ１の全開状態は、図９で説明したように、全開検出ＳＷ２０４がＯＮ、折畳検出ＳＷ２０５がＯＦＦとなることで識別が可能となる。
【００６９】
スキャナ１の全開運用において、「ｍ×ｎ」サイズの原稿用紙から画像取得を行う場合、折畳みに対応するため分割されたユニットＡ，Ｂ双方のラインスキャナヘッドユニット２１１の動作を連接制御する必要が生じる。
【００７０】
連接制御には、既に図７及び図８にて説明した「画像の合成（合体）」処理の他に、ユニットＡ，Ｂのラインスキャンヘッドユニット２１１の連動（同期）処理が含まれる。
本実施形態による画像取得は、コンタクトガラス面２０１に原稿用紙の原稿面を伏せた状態で置き、ラインスキャナヘッド部を使ってスキャンを行う方式となる。つまり、一般的なフラットベッドスキャナの運用と同様である。
【００７１】
なお、連動（同期）処理とは、スキャナ１における全開運用に際して、主にヒンジ部２０１付近の境界領域処理に対応するため、ユニットＡとユニットＢのラインスキャンヘッドユニット２１１を連動して並行移動させることを指す。例えば、全開状態との判定が行われると、ユニットＡ，Ｂのラインスキャンヘッドユニット２１１はそれぞれ、一旦中間線に移動し、以降同期をとって並行移動を行う。
【００７２】
図１３は、本実施形態におけるヒンジ部２０２の一例を示す。図１３（ａ）は、折畳み時のスキャナ１を示す。図１３（ｂ）は、半開時のスキャナ１を示す。図１３（ｃ）は、全開時のスキャナ１を示す。
【００７３】
ヒンジ部２０２は、３つの節３５１−１，３５１−２，３５１−３と端部３５０−１，３５０−２を有している。すなわち、ヒンジ部２０２は３枚の細長の板状の部材から構成され、短手側の端部同士が連接し、折戸のように畳み畳むことができるようになっている。端部３５０−１，３５０−２はそれぞれ、ユニットＡ（２００ａ），ユニットＢ（２００ｂ）に固定されている。３つの節３５１−１，３５１−２，３５１−３は、いずれのユニットにも固定されておらず、フリーな状態である。
【００７４】
折畳み状態（図１３（ａ））から半開状態（図１３（ｂ））を経て、全開状態（図１３（ｃ））へ移行する。このとき、ヒンジ部２０２が折戸の様に節３５１−１，３５１−２，３５１−３に沿って折畳まれる。
【００７５】
このとき、相互に向かい合うユニットの側面２１５ａ，２１５ｂの上半分は、折畳まれたヒンジ部２０２にかかっていない。そこで、側面２１５ａ，２１５ｂの上半分を取り除いて、図１４で説明するような開放状態となる。
【００７６】
図１４は、図１３（ｃ）でスキャナ１を全開状態にした場合に、ラインスキャンヘッド部がコンタクトガラス２０１の端部まで移動できる構造を示す。図１３（ｃ）のように、折畳まれたヒンジ部２０２にかかっていない側面２１５ａ，２１５ｂの上半分を取り除いて開放状態とする。そうすると、それまではラインスキャンヘッドユニット２１１がユニット２００の側面２１５の内壁に接触して、ラインスキャンヘッド部２１１がコンタクトガラス２０１の端部にまで到達できなかったが、側面２１５ａ，２１５ｂの上半分を取り除いて開放状態とすることで、ラインスキャンヘッド部２１１がコンタクトガラス２０１の端部にまで到達することができる。
【００７７】
したがって、２つのユニットＡ，Ｂにて取り込んだ各画像を結合する場合、その結合部分周辺の画像の読み取りの精度を向上させることができる。なお、ラインスキャンヘッド部２１１が他方のユニットのコンタクトガラス面まで到達するようにしてもよい。このようにすることで、双方のユニットにて境界領域の画像を重複して読み取ることができるので、それぞれのユニットにて読み取った画像同士を結合する場合に、その結合の精度をさらに向上させることができる。
【００７８】
このように、ユニット側面２１５の上半分を取り除いて開放させることで、ヒンジ部２０２付近の筐体端部にラインスキャンヘッドユニット２１１の「逃げ」を確保し、境界領域で双方のラインスキャンヘッドユニット２１１が寄り合うことに起因する境界領域画像の欠落防止を図ることができる。
【００７９】
本実施形態によれば、「（業務）頻度の増大」に着目した逐次処理向きのスキャナ装置として、各自の机上で作業を行うことを想定し、使用時は勿論、使用しない時においてもコンパクト性を確保することができる。また、様々な原稿、様々な運用形態に対して、１台で即応できる。
【００８０】
また、通常のフラットベッドスキャナとして運用する場合、折畳み時の２倍の用紙サイズまでの画像取得に対応できる。また、１つのラインスキャンヘッドユニットにつき２つのラインスキャンヘッド部を設けることで、ラインスキャンヘッドユニットの可動距離を短くすることができる。その結果、１枚当たりの画像取得に要する時間を短縮することができる。
【００８１】
（第２の実施形態）
本実施形態では、折畳み式の将棋盤のように折畳みが可能であり、折畳んだ状態で、全開時の１／２のサイズで画像取得が可能（例えば、全開時がＡ４サイズであれば、折畳み時はＡ５サイズ）な画像電子化入力装置（スキャナ）について説明する。
【００８２】
本実施形態では、折畳んだ一方（上側）をトップカバーとするフラットベッドスキャナとしての運用（すなわち、コンタクトガラス面に固定された原稿に対して、ラインスキャナが移動する形態）とする。
【００８３】
図１５は、本実施形態におけるスキャナ１の運用状態における外観を示す。本実施形態では、スキャナ１を折畳み状態で運用する。この折畳み状態は、図９で説明したように折畳検出ＳＷ２０５がＯＮ、全開検出ＳＷ２０４がＯＦＦとなることで識別が可能となる。
【００８４】
スキャナ１の折畳み運用において、「（ｎ／２）×ｍ」サイズの原稿用紙から画像取得を行う場合、画像取得方法としては以下の３種類が想定される。
（１）下側のユニット２００−２のコンタクトガラス面２０１に、原稿用紙４００の原稿面を伏せた状態で置き、その下側のユニット２００−２のラインスキャナを使って原稿面の画像取得を行う方法（一般的なフラットベッドスキャナの運用と同様である）。この方法では、下側となっている原稿面のみの画像（すなわち、片面の画像）を取得することができる。
【００８５】
（２）下側のユニット２００−２のコンタクトガラス面２０１に、原稿用紙４００の原稿面を上にした状態で置き、上側のユニット２００−１を被せて、その上側のユニット２００−１のラインスキャナを使って画像取得を行う方法。この方法では、上側となっている原稿面のみの画像（すなわち、片面の画像）を取得することができる。
【００８６】
（３）下側のユニット２００−２のコンタクトガラス面２０１に、両面に印刷対象面がある原稿用紙４００を置き、上側のユニット２００−１を被せて、上面／下面両方のラインスキャナを同時に使って画像取得を行う方法。この方法では、原稿用紙の上下面の画像（すなわち、両面の画像）を取得することができる。
【００８７】
なお、上記（１）に関しては、半開状態の運用とすることもできるが、記載の使用用途では折畳状態の運用に分類する。
このように、現行の種類により、上面側のスキャナを使用しても、下面側のスキャナを使用しても、あるいは両側のスキャナを同時に使用してもよい。例えば、領収書などは、上面側のユニット２００−１にてスキャンを行った方が効率がよい。
【００８８】
本実施形態によれば、「（業務）頻度の増大」に着目した逐次処理向きのスキャナ装置として、各自の机上で作業を行うことを想定し、使用時は勿論、使用しない時においてもコンパクト性を確保することができる。また、様々な原稿、様々な運用形態に対して、１台で即応できる。
【００８９】
また、全開時の１／２の用紙サイズまでの画像を取得する場合、コンタクトガラス面に原稿用紙の原稿面を伏せた状態で置き、下面側のラインスキャナを使って画像を取得することができる。
【００９０】
また、コンタクトガラス面に原稿用紙の原稿面を上にした状態で置き、上面側のラインスキャナを使って画像を取得することができる。
また、コンタクトガラス面に両面の原稿用紙を置き、上面／下面両方のラインスキャナを同時に使って画像を取得することができる。
【００９１】
また、１つのラインスキャンヘッドユニットにつき２つのラインスキャンヘッド部を設けることで、ラインスキャンヘッドユニットの可動距離を短くすることができる。その結果、１枚当たりの画像取得に要する時間を短縮することができる。
【００９２】
（第３の実施形態）
本実施形態では、コンタクトガラス面の一方（折畳み時は上下何れか、全開時は左右（または前後）何れか）に、指先などの圧力に呼応するセンサスイッチ機構を内蔵することで、レシートなどの証憑書類を置く動作をもって画像読み取り動作に入ることが可能な画像電子化入力装置（スキャナ）について説明する。本実施形態では、コンタクトガラスに固定された原稿に対して、ラインスキャナが移動する運用形態となる。
【００９３】
本実施形態におけるスキャナ１は、第１の実施形態及び第２の実施形態で説明したものと同様である。第２の実施形態で述べたように、折畳状態と半開状態の運用上の区別は曖昧である。
【００９４】
本実施形態では、図１０で示すように、感圧ＳＷ２０３は有効となっており、スキャナ１を全開または半開状態で運用するものとする（すなわち、完全な折畳状態を除外することとなる）。
【００９５】
全開状態は、図９で説明したように、全開検出ＳＷ２０４がＯＮ、折畳検出ＳＷ２０５がＯＦＦとなることで識別が可能となる。半開状態は、図９で説明したように、全開検出ＳＷ２０４及び折畳検出ＳＷ２０５が共にＯＦＦとなることで識別が可能となる。
【００９６】
感圧ＳＷ２０３は、図５に示すように、ユニットＡ、ユニットＢの両方に存在する。折畳状態のスキャナ１が天地を意識することなく使われることを想定したものだが、全開状態で、ユニットＡ、ユニットＢのどちらからでもＯＮ／ＯＦＦ操作を行える利便性も確保できる。
【００９７】
図１６は、本実施形態における感圧ＳＷ２０３の原理を示す。感圧ＳＷ２０３は、コンタクトガラス面２０１自体を、画像取得開始のスイッチとして利用するために構築された機構である。すなわち、コンタクトガラス面２０１に圧力が加わり、所定のストローク下側に押し下げられると、感圧ＳＷ２０３がＯＮになる。
【００９８】
図１７は、本実施形態における感圧ＳＷ２０３の実装の一例を示す。感圧ＳＷ２０３は、主として、コンタクトガラス２０１、弾性部材２７０、感圧センサ２７１から構成される。
【００９９】
弾性部材２７０は、コンタクトガラス面２０１の縁部分と、その縁部分を支持しているユニットの筐体の支持部との間に配置されている。弾性部材２７０は、コンタクトガラス２０１の上面から圧力が加わると、所定のストローク分収縮し、その圧力がなくなると元に戻る。感圧センサ２７１は、所定の圧力が加わると、そのことを検知する。
【０１００】
このような感圧スイッチ２０３の構成を用いれば、コンタクトガラス面２０１に原稿用紙４００を置いた状態で、コンタクトガラス面２０１に対して（指先などを使い）押圧を掛けることで、画像スキャンを開始することができる。
【０１０１】
このとき、スキャン対象となる原稿等をコンタクトガラス面２０１に載置して、例えば、指や手のひらでコンタクトガラス面２０１を押下して所定のストローク下側に押し下げられると、感圧センサ２７１はその圧力を検知して、その検知信号をＣＰＵ２５０へ送信する。
【０１０２】
図１８は、本実施形態における感圧ＳＷ２０３に関するフローチャートを示す。本フローでは、コンタクトガラス面２０１に原稿用紙４００を置いた状態を画像読み取りの「スタート」とする。
【０１０３】
まず、コンタクトガラス面２０１に接続された感圧センサ２７１は押圧を検出すると、その旨を示す検知信号をＣＰＵ２５０に送信する。ＣＰＵ２５０は、その検知信号に基づいて、押圧の有無を判断する（ステップ１。以下、ステップを「Ｓ」と称する）。
【０１０４】
押圧が検出された場合、ＣＰＵ２５０はその圧力値ｐが所定の範囲内（ｐmin≦ｐ≦ｐmax）にあるかどうかを判定する（Ｓ２）。なお、最小値ｐmin及び最大値ｐmaxは任意に設定可能である。ここでは、画像読取開始を示す感圧ＳＷ２０３のＯＮ動作以外の押圧除去が目的である。
【０１０５】
更に、ＣＰＵ２５０は、押圧による圧力維持時間ｔが所定の範囲内（ｔmin≦ｔ≦ｔmax）にあるかどうかを判定する（Ｓ３）。なお、最小値ｔmin及び最大値ｔmaxは任意に設定可能である。ここでは、画像読取開始を示す感圧ＳＷ２０３のＯＮ動作以外の押圧除去が目的である。
【０１０６】
Ｓ２及びＳ３で圧力値ｐ及び圧力維持時間ｔの値が所定の範囲内にあると判断された場合、ＣＰＵ２５０は、スキャンを開始する（Ｓ４）。ここでは、ＣＰＵ２５０は，画像読取機構制御部２２２にスキャン開始指示信号を送信する。画像読取機構制御部２２２はその信号により、スキャン動作に移行する。
【０１０７】
ＣＰＵ２５０は、スキャン終了を検知したら「スタート」状態に戻る（Ｓ５）。ここでは、図１１で説明したように、終端ＳＷ３３５がスキャナ１の筐体の内壁に接すると、そのことを検知した終端ＳＷ３３５は検知信号を画像読取機構制御部２２２へ送信する。その検知信号を受信した画像読取機構制御部２２２は、ＤＣモータ３３１の回転を制御して、その１対のラインスキャンヘッド部の動作を停止させると共に、ＣＰＵ２５０へスキャン終了を通知する。
【０１０８】
なお、本実施形態による運用では、画像取得時に時刻認証を求められる場合が想定される。この場合、スキャナ１と印刷装置３と連携させて、認証管理を行うこともできる。
本実施形態によれば、「（業務）頻度の増大」に着目した逐次処理向きのスキャナ装置として、各自の机上で作業を行うことを想定し、使用時は勿論、使用しない時においてもコンパクト性を確保することができる。また、様々な原稿、様々な運用形態に対して、１台で即応できる。
【０１０９】
また、全開時及び半開時において、原稿用紙へ押圧するアクションを画像スキャン開始タイミングとすることができる（レシート類などの証憑書類の画像取得に際して、アクションの単純化が可能となる）。
【０１１０】
また、通常のフラットベッドスキャナとして運用する場合、折畳み時の２倍の用紙サイズまでの画像取得に対応できる。
また、１つのラインスキャンヘッドユニットにつき２つのラインスキャンヘッド部を設けることで、ラインスキャンヘッドユニットの可動距離を短くすることができる。その結果、１枚当たりの画像取得に要する時間を短縮することができる。
【０１１１】
（第４の実施形態）
本実施形態では、アタッチメントを装着することにより、折畳みのヒンジ部分に原稿用紙の搬送機構を付加できる画像電子化入力装置（スキャナ）について説明する。
【０１１２】
本実施形態では、折畳まれた双方のコンタクトガラス面の隙間を原稿用紙が通る形でスキャンを行うため、全開時の短辺側サイズを最大幅とするＡＤＦ（Ａｕｔｏ  Ｄｏｃｕｍｅｎｔ  Ｆｅｅｄｅｒ）スキャナとしての運用（すなわち、固定のラインスキャナに対して、原稿が移動する運用形態）となる。
【０１１３】
図１９は、本実施形態におけるスキャナ１の運用状態における外観を示す。本実施形態は、スキャナ１を折畳み状態で運用する。スキャナ１の折畳み状態は、図９で説明したように、折畳検出ＳＷ２０５がＯＮ、全開検出ＳＷ２０４がＯＦＦとなることで識別が可能となる。
【０１１４】
同図では、折畳み時のヒンジ部２０１側端面に、簡易的な（１枚毎の吸入となる）自動給紙装置５００が装着されている。これにより、ＡＤＦスキャナとしての運用方式を提供することができる。なお、自動給紙装置５００はスキャナ１に着脱可能である。
【０１１５】
自動給紙装置５００は、少なくとも、１対の動力式紙送りローラ５０１、給紙口５０２、排紙口５０３、１対の動力式紙送りローラ５０１を駆動させるローラ駆動機構（不図示）、給紙口に原稿用紙が挿入されたことを検出する用紙挿入検出機構（不図示）の構成要素から構成される。
【０１１６】
自動給紙装置５００は、目的とする原稿用紙４００が給紙口５０２から挿入されると、用紙挿入検出機構により原稿用紙４００の端部を認識し、ローラ駆動機構により１対の動力式紙送りローラ５０１を駆動させて、自動的に吸入動作に入ることができる。
【０１１７】
なお、スキャナ１の本体側は、紙送り機構を備えていない。そのため、原稿用紙４００の吸入方向４０１のサイズ「Ｎ」は、「Ｎ≧（ｎ／２）−α」の関係を満たす必要がある。αは、スキャナ１のヒンジ部２０２側の端面から自動給紙装置５００の紙送りローラ５００の間の距離に相当する。
【０１１８】
自動給紙装置５００をスキャナ１に装着させることにより、ラインスキャンヘッドユニット２１１はヒンジ部２０２側に固定され、２連ユニットの内の一方は休止状態とする。また、第３の実施形態で説明した感圧ＳＷ２０３も無効状態とする。
【０１１９】
スキャナ１に自動給紙装置５００を装着すると、自動給紙装置５００の所定のコネクタがスキャナ１のＩ／Ｆ部２２３に接続されて、自動給紙装置５００からＣＰＵ２５０へ紙送りローラ５０１の回転速度等の情報が伝達される。ＣＰＵ２５０は、その情報を画像読取機構制御部２２２に転送し、画像読取機構制御部２２２は、その紙送りローラ５０１の回転速度に応じて、ラインスキャンヘッドユニット２１１によるスキャン速度を制御する。
【０１２０】
本実施形態によれば、「（業務）頻度の増大」に着目した逐次処理向きのスキャナ装置として、各自の机上で作業を行うことを想定し、使用時は勿論、使用しない時においてもコンパクト性を確保することができる。また、様々な原稿、様々な運用形態に対して、１台で即応できる。また、シンプルな自動給紙装置を装着することで、ＡＤＦスキャナとしての運用を確保することができる。
【０１２１】
（第５の実施形態）
本実施形態では、折畳み状態でのヒンジ部２０２側を掴み、ハンディスキャナとしての運用が可能な画像電子化入力装置（スキャナ）について説明する。本実施形態では、ヒンジ部２０２の逆側の端部で、可動式のラインスキャンヘッドのポジションを変更し、スキャンを行う運用（すなわち、コンタクトガラス面に固定された原稿に対して、ラインスキャナを移動させる形態）とする。
【０１２２】
図２０は、本実施形態におけるスキャナ１の運用状態における外観を示す。本実施形態では、スキャナ１を折畳み状態で運用する。この折畳み状態は、図９で説明したように、折畳検出ＳＷ２０５がＯＮ、全開検出ＳＷ２０４がＯＦＦとなることで識別が可能となる。
【０１２３】
同図では、折畳み時のヒンジ部２０２側にラインスキャンヘッドユニット２１１を固定し、ヒンジ部２０２に近い方のラインスキャンヘッド部（符号６００で示す部分）を９０度変換することにより、コンタクトガラス面２０１に向いていたヘッドの向きを、ユニットの筐体側面（ヒンジ部２０２側）にして、ハンディスキャナとして用いている様子を示す。
【０１２４】
この場合、ラインスキャンヘッドと向かい合った筐体側面は、第１の実施形態のように開放されているか、またはヘッドにかかる部分にコンタクトガラスを有している。
ユーザは、ラインスキャンヘッド部（符号６００で示す部分）が原稿用紙の原稿面と対向する状態を保持しながら、スキャナ１を原稿用紙４００の水平面と平行方向に移動させることにより走査する。
【０１２５】
さらに、スキャナ１は、不図示の、ローラ及びエンコーダを有する。エンコーダは、回転部材によって形成され、ハンディスキャナ１が原稿上を移動するのに伴って、原稿との摩擦によって回転するローラと機械的に接続されている。オペレータの手動操作によってハンディスキャナ１が原稿上を移動すると、該ローラが回転し、その回転量を該エンコーダに伝達する。そして、該エンコーダが一定量回転したとき、ハンディスキャナ１が副走査方向４０１へ１画素単位移動したと判定し、そのタイミングでラインスキャンヘッドの主走査を行う。この動作を繰り返すことにより正確な２次元画像の走査処理を行うことができる。なお、符号６０５は、ラインスキャンヘッド部２１１と原稿用紙との間を一定にするための部材である。
【０１２６】
図２１は、本実施形態における１対のラインスキャンヘッド部の回転機構を示す。図２２は、図２１の回転機構の詳細を示す。図２１は、符号６００で示す部分（ラインスキャンヘッド機構３３９が９０度回転している部分）以外は、図１１と同様である。
【０１２７】
図２２において、ラインスキャンヘッド支持部３３８には回転軸６０３が設けられ、支持板６０２の軸受け部分により回転可能なように支持されている。ラインスキャンヘッド支持部３３８を９０度回転させると、ラインスキャンヘッド支持部３３８の上面に設置されたラインスキャンヘッド部２１１も同様に９０度回転することになる。
【０１２８】
これにより、コンタクトガラス面２０１に向いていたヘッドの向きを、ユニットの筐体側面（ヒンジ部２０２側）に向けることができる。
この回転動作は、手動で行ってもよいし、モータ等を用いて電動で行ってもよいが、ハンディスキャナとして用いる場合、画像取得が可能となる位置でラインスキャンヘッド部２１１を固定することになる。
【０１２９】
この時、ラインスキャンヘッドユニットの他方のヘッド、並びに他方のユニット（ユニットＡ側を使用するのであればユニットＢ）は休止状態とする。また、第３の実施形態で説明した感圧ＳＷ２０３も無効状態とする。
【０１３０】
本実施形態によれば、「（業務）頻度の増大」に着目した逐次処理向きのスキャナ装置として、各自の机上で作業を行うことを想定し、使用時は勿論、使用しない時においてもコンパクト性を確保することができる。また、様々な原稿、様々な運用形態に対して、１台で即応できる。また、ハンディスキャナしての運用を確保することができる。
【０１３１】
以上より、本発明によれば、頻繁に行われる書類の電子化に対応するために、スキャナ装置の携帯性、コンパクト性、及び利便性を向上させることができる。特に、書類を用いて作業を行っている机の上などに場所を選ばずに置くことができるので、容易に書類のスキャンを行うことができる。また、複数の領収書等のスキャン対象面を上向きにしてコンタクトガラスに載置してスキャナ装置を折畳んで上側のユニットを駆動させてスキャンすることができるので、その複数の領収書等の配置位置を気にすることなく、スキャンすることができる。
【０１３２】
なお、本発明は、以上に述べた実施の形態に限定されるものではなく、本発明の要旨を逸脱しない範囲内で種々の構成または形態を取ることができる。
【図面の簡単な説明】
【０１３３】
【図１】本発明におけるスキャナ１の外観斜視図（全開時）である。
【図２】本発明におけるスキャナ１の外観側面図（全開時）である。
【図３】本発明におけるスキャナ１の外観側面図（折畳み中）である。
【図４】本発明におけるスキャナ１を構成要素とするネットワーク構成の一例を示す。
【図５】本発明におけるスキャナ１の内部構成の概要を示す。
【図６】本発明におけるスキャナ１のラインスキャンヘッドユニット２１１を示す。
【図７】本発明における一方のユニットを用いて画像を取得する一例を示す。
【図８】本発明における２つのユニットを用いて画像を取得する一例を示す。
【図９】本発明における全開検出ＳＷ２０４と折畳検出ＳＷ２０５のＯＮ／ＯＦＦの組合わせ判定の内容を示す。
【図１０】本発明におけるスキャナ１の形状の状態と、感圧ＳＷと、ヘッドユニットの制御との関係を示す。
【図１１】本発明におけるラインスキャンヘッドユニット２１１の駆動機構を示す。
【図１２】本発明における平歯車及び円筒ウォームギアよりなる動力機構３３０を示す。
【図１３】第１の実施形態におけるヒンジ部２０２の一例を示す。
【図１４】図１３（ｃ）でスキャナ１を全開状態にした場合に、ラインスキャンヘッド部がコンタクトガラス２０１の端部まで移動できる構造を示す。
【図１５】第２の実施形態におけるスキャナ１の運用状態における外観を示す。
【図１６】第３の実施形態における感圧ＳＷ２０３の原理を示す。
【図１７】第３の実施形態における感圧ＳＷ２０３の実装の一例を示す。
【図１８】第３の実施形態における感圧ＳＷ２０３に関するフローチャートを示す。
【図１９】第４の実施形態におけるスキャナ１の運用状態における外観を示す。
【図２０】第５の実施形態におけるスキャナ１の運用状態における外観を示す。
【図２１】第５の実施形態における１対のラインスキャンヘッド部の回転機構を示す。
【図２２】図２１の回転機構の詳細を示す。
【符号の説明】
【０１３４】
１      スキャナ
２      ＰＣ
３      印刷装置
４      ＬＡＮ
２００（２００ａ）  ユニットＡ
２００（２００ｂ）  ユニットＢ
２０１  コンタクトガラス
２０２  ヒンジ部
２０３  感圧ＳＷ
２０４  全開検出ＳＷ
２０５  折畳検出ＳＷ
２１０（２１０ａ，２１０ｂ）  画像読取機構部
２１１（２１１ａ，２１１ｂ）  ラインスキャンヘッドユニット
２１１ａ−１，２１１ａ−２，２１１ｂ−１，２１１ｂ−２  ラインスキャンヘッド部
２２１  画像変換制御部
２２２  画像読取機構制御部
２２３  Ｉ／Ｆ部
２２４  電源部
２５０  ＣＰＵ
２５２  ＲＡＭ
【図１】
2008066961.tif 000003
【図２】
2008066961.tif 000004
【図３】
2008066961.tif 000005
【図９】
2008066961.tif 000006
【図１０】
2008066961.tif 000007
【図１３】
2008066961.tif 000008
【図１５】
2008066961.tif 000009
【図１８】
2008066961.tif 000010
【図２０】
2008066961.tif 000011
【図４】
2008066961.tif 000012
【図５】
2008066961.tif 000013
【図６】
2008066961.tif 000014
【図７】
2008066961.tif 000015
【図８】
2008066961.tif 000016
【図１１】
2008066961.tif 000017
【図１２】
2008066961.tif 000018
【図１４】
2008066961.tif 000019
【図１６】
2008066961.tif 000020
【図１７】
2008066961.tif 000021
【図１９】
2008066961.tif 000022
【図２１】
2008066961.tif 000023
【図２２】
2008066961.tif 000024